(57)【特許請求の範囲】
【請求項１】
居住者を呼び出すための玄関子機と、居住者が呼び出しに応答するための第１及び第２の居室親機とを有し、前記玄関子機は前記第１の居室親機を呼び出すための第１呼出ボタンと、前記第２の居室親機を呼び出すための第２呼出ボタンとを備えて一方の居室親機を選択呼び出しできる二世帯用インターホン装置において、
前記玄関子機は、前記第１、第２呼出ボタンによる再呼出操作を検出する再呼出検出部と、再呼び出しが成されたら前記第１及び第２の居室親機の双方に呼出信号を出力する呼出信号出力部とを備えたことを特徴とする二世帯用インターホン装置。
【請求項２】
居住者を呼び出すための玄関子機と、居住者が呼び出しに応答するための第１及び第２の居室親機とを有し、前記玄関子機は前記第１の居室親機を呼び出すための第１呼出ボタンと、前記第２の居室親機を呼び出すための第２呼出ボタンとを備えて一方の居室親機を選択呼び出しできる二世帯用インターホン装置において、
前記玄関子機は、前記第１或いは第２呼出ボタンが操作されたら計時を開始するタイマ部と、前記タイマ部が所定時間計時したら前記第１及び第２の居室親機の双方に呼出信号を送信する呼出信号出力部とを備えたことを特徴とする二世帯用インターホン装置。
【請求項３】
前記第１、第２の居室親機は、自身の呼出動作が他方の呼出ボタン操作による呼び出しである場合に、それを報知する代理呼出報知部を備えたことを特徴とする請求項１又は２記載の二世帯用インターホン装置。
【請求項４】
前記第１、第２の居室親機は、自身の呼び出しに対して他方の居室親機で代理応答されている場合に、それを報知する代理応答報知部を備えたことを特徴とする請求項１乃至３の何れかに記載の二世帯用インターホン装置。
【請求項５】
前記第１、第２の居室親機は、自身の呼び出しに対して他方の居室親機で代理応答された場合に、それを表示する表示部を備えたことを特徴とする請求項１乃至４の何れかに記載の二世帯用インターホン装置。
【発明の詳細な説明】
【技術分野】
【０００１】
本発明は、居室親機を２台備えて一方の選択呼び出しができる二世帯用インターホン装置に関する。
【背景技術】
【０００２】
従来より、例えば親世帯用と子世帯用として２台の居室親機を備え、１台の玄関子機に親世帯呼出ボタン、子世帯呼出ボタンの２つの呼出ボタンを設けて、一方を選択して呼び出すことのできる二世帯用インターホン装置がある。ところが、このような二世帯住宅の場合、一方の世帯の居室に他方の居住者が一緒にいる場合があり、その場合不在となっている居室親機が呼び出されてもそれに気づかず不在と判断されてしまうことがあった。
そのため、呼び出しを転送する留守転送スイッチを居室親機に設けて、例えば子世帯側に双方の家族が集まる場合は親世帯側の居室親機を留守転送モードに設定して、呼び出しが成されたら呼び出しを子世帯側の居室親機に転送するよう構成されたものがある（特許文献１参照）。
【特許文献１】特開平１１−１０３３５４号公報
【発明の開示】
【発明が解決しようとする課題】
【０００３】
しかしながら、留守転送機能を備えていても、転送操作を忘れていたら従来と同様であり不在と判断されてしまうし、逆に留守転送機能の解除を忘れた場合は不要な転送動作が行われ、他方の居住者に迷惑がかかってしまう場合があった。
【０００４】
そこで、本発明はこのような問題点に鑑み、留守転送スイッチ等を操作しなくても呼び出した一方の居室親機から応答が無い場合には、その後他方の居室親機を自動で呼び出すよう動作する二世帯用インターホン装置を提供することを目的とする。
【課題を解決するための手段】
【０００５】
上記課題を解決する為に、請求項１に記載の発明は、居住者を呼び出すための玄関子機と、居住者が呼び出しに応答するための第１及び第２の居室親機とを有し、玄関子機は第１の居室親機を呼び出すための第１呼出ボタンと、第２の居室親機を呼び出すための第２呼出ボタンとを備えて一方の居室親機を選択呼び出しできる二世帯用インターホン装置において、玄関子機は、第１、第２呼出ボタンによる再呼出操作を検出する再呼出検出部と、再呼び出しが成されたら第１及び第２の居室親機の双方に呼出信号を出力する呼出信号出力部とを備えたことを特徴とする。
この構成によれば、玄関子機から再呼出操作が成されると、他方の居室親機にも呼び出しがかかるので、他世帯側の居室から応答することが可能となる。よって、一方の世帯の居住者が他方の世帯の居室に移動していたり呼出先の居住者が不在の場合でも、呼び出しに応答することができ、来訪者及び居住者の双方に対して利便性が良い。
【０００６】
請求項２の発明は、居住者を呼び出すための玄関子機と、居住者が呼び出しに応答するための第１及び第２の居室親機とを有し、玄関子機は第１の居室親機を呼び出すための第１呼出ボタンと、第２の居室親機を呼び出すための第２呼出ボタンとを備えて一方の居室親機を選択呼び出しできる二世帯用インターホン装置において、玄関子機は、第１或いは第２呼出ボタンが操作されたら計時を開始するタイマ部と、タイマ部が所定時間計時したら第１及び第２の居室親機の双方に呼出信号を送信する呼出信号出力部とを備えたことを特徴とする。
この構成によれば、玄関子機から呼び出しが成されて所定時間が経過すると、自動で再呼出を行うと共に他方の居室親機にも呼出がかかるので、他世帯側の居室から応答することが可能となる。よって、一方の世帯の居住者が他方の世帯の居室に移動していたり、呼出先の居住者が不在の場合でも、呼び出しに応答することができ、来訪者及び居住者の双方に対して利便性が良い。
【０００９】
請求項３の発明は、請求項１又は２に記載の発明において、第１、第２の居室親機は、自身の呼出動作が他方の呼出ボタン操作による呼び出しである場合に、それを報知する代理呼出報知部を備えたことを特徴とする。
この構成によれば、居住者は居室親機の呼出動作が本来他方の世帯の居住者を呼び出す呼出音であることを認識でき、応答する際にスムーズな応答が可能となる。よって、来訪者を戸惑わせるようなことがない。
【００１０】
請求項４の発明は、請求項１乃至３の何れかに記載の発明において、第１、第２の居室親機は、自身の呼び出しに対して他方の居室親機で代理応答されている場合に、それを報知する代理応答報知部を備えたことを特徴とする。
この構成によれば、来訪者が呼び出している方の居住者は、他世帯の居住者が応答していることを認識でき、状況を把握し易い。
【００１１】
請求項５の発明は、請求項１乃至４の何れかに記載の発明において、第１、第２の居室親機は、自身の呼び出しに対して他方の居室親機で代理応答された場合に、それを表示する表示部を備えたことを特徴とする。
この構成によれば、来訪者が呼出操作した方の居住者は、表示部の表示により代理応答されたことを認識でき、応答内容を他世帯の応答者に伺う等の必要性を認識できる。
【発明の効果】
【００１２】
本発明によれば、玄関子機から再呼出操作が成されると、或いは呼出操作してしばらくすると、他方の居室親機にも呼び出しがかかるので、他世帯側の居室から応答することができる。よって、一方の世帯の居住者が他方の世帯の居室に移動していたり呼出先の居住者が不在の場合でも呼び出しに応答することができ、来訪者及び居住者の双方に対して利便性が良い。
【発明を実施するための最良の形態】
【００１３】
以下、本発明を具体化した実施の形態を、図面に基づいて詳細に説明する。
〈第１の実施形態〉
図１は本発明に係る二世帯用インターホン装置の第１の実施形態を示すブロック図であり、１は居住者を呼び出す為に玄関等に設置された玄関子機、２は呼び出しに応答するために住戸内に設置された居室親機（第１の居室親機２ａ、第２の居室親機２ｂ）である。第１の居室親機２ａは伝送線Ｌ１により玄関子機１に接続され、第２の居室親機２ｂは伝送線Ｌ２により玄関子機１に接続されている。
【００１４】
玄関子機１は、第１の居室親機２ａを呼び出す為の第１呼出ボタン１０ａ、第２の居室親機２ｂを呼び出すための第２呼出ボタン１０ｂ、呼出ボタン１０ａ，１０ｂが操作されたことを検出する呼出検出部１１、再呼出操作されたことを検出する再呼出検出部１２、呼出信号を出力する呼出信号出力部１３と、第１の居室親機２ａ或いは第２の居室親機２ｂと通話を行なう為のマイク１４ａ及びスピーカ１４ｂ、マイク１４ａ及びスピーカ１４ｂを制御する子機音響部１４と、居室親機２と通信するためのインターフェース（子機ＩＦ）１５とを備えている。
【００１５】
居室親機２は、玄関子機１からの呼出信号を検出する呼出検出部２０と、玄関子機１から呼び出しがあった時に、呼び出し中であることの表示等を行う表示部２１と、玄関子機１からの呼び出しに対して応答操作等行うための操作部２２と、玄関子機１と通話を行なう為のマイク２３ａ及びスピーカ２３ｂ、マイク２３ａ及びスピーカ２３ｂを制御する親機音響部２３と、居室親機２を制御するＣＰＵを備えた親機制御部２４と、玄関子機１と通信するためのインターフェース（親機ＩＦ）２５とを備えている。
【００１６】
上記構成の二世帯用インターホン装置は次のように動作する。但し、第１呼出ボタン１０ａによる呼び出しと、第２呼出ボタン１０ｂによる呼び出しは、呼出対象が第１の居室親機２ａであるか、第２の居室親機２ｂであるかの違いだけであり、他の動作は共通であるため、第１呼出ボタン１０ａによる呼び出しに対する動作を説明する。
来訪者により玄関子機１の第１呼出ボタン１０ａが操作されると、呼出検出部１１が呼出操作を検出し、再呼出検出部１２と呼出信号出力部１３に呼出検出信号を出力する。すると呼出信号出力部１３は、子機ＩＦ１５、伝送路Ｌ１を介して第１の居室親機２ａに呼出信号を送信する。
【００１７】
第１の居室親機２ａは、親機ＩＦ２５を介して呼出検出部２０で呼出信号を検出すると、親機制御部２４は親機音響部２３を制御してスピーカ２３ｂから呼出音を報音させるとともに、表示部２１にて呼出表示を行なう。この呼び出し動作を受けて居住者により操作部２２が応答操作されると、玄関子機１と第１の居室親機２ａとの間で通話路が形成され、通話を行なうことができる。
【００１８】
この最初の呼び出しで、第１の居室親機２ａで応答操作が行なわれず、来訪者が再度第１呼出ボタン１０ａを操作すると、呼出検出部１１で呼び出しが検出され、再呼出検出部１２と呼出信号出力部１３に呼出検出信号を出力する。この呼出検出信号を受けた再呼出検出部１２は再呼び出しであることを検出し、呼出信号出力部１３から第１の居室親機２ａに呼出信号が送信されるのに加えて、第２の居室親機２ｂにも呼出信号を送信させる。
尚、再呼出を受けて呼出信号出力部１３が第２の居室親機２ｂに送信する呼出信号は、通常の呼出信号とは異なる代理呼出信号となる。また、再呼出検出部１２は、例えばタイマを備えて、最初の呼出検出信号を受けてからタイマがカウントする所定の時間内に呼出検出信号を受けたら再呼出されたと判断する。
【００１９】
双方の居室親機２ａ，２ｂは、この呼出信号を呼出検出部２０が検出したら、親機制御部２４が親機音響部２３を制御してスピーカ２３ｂから呼出音を報音させると共に、表示部２１にて呼出表示を行なう。但し、第１呼出ボタン１０ａの操作により最初から呼出動作している第１の居室親機２ａは通常の呼出動作を継続し、代理呼出信号を受けた第２の居室親機２ｂの親機制御部２４はそれを認識し、表示部２１が代理呼出であることを表示し、呼出音も通常呼出とは異なる呼出音で報音する。
【００２０】
この呼出動作を受けて、第１の居室親機２ａの操作部２２で応答操作すると第１の居室親機２ａと玄関子機１の間で通話を実施できるし、第２の居室親機２ｂの操作部２２で応答操作すると、第２の居室親機２ｂと玄関子機１との間で通話が実施できる。
【００２１】
このように、玄関子機から再呼出操作が成されると、他方の居室親機にも呼び出しがかかるので、他世帯側の居室から応答することが可能となる。よって、一方の世帯の居住者が他方の世帯の居室に移動していたり呼出先の居住者が不在の場合でも、呼び出しに応答することができ、来訪者及び居住者の双方に対して利便性が良い。
また、居住者は表示部の表示及び呼出音から、居室親機の呼出動作が本来他方の世帯の居住者を呼び出していることを認識でき、応答する際にスムーズな応答が可能となり、来訪者を戸惑わせるようなことがない。
【００２２】
〈第２の実施形態〉
図２は本発明に係る二世帯用インターホン装置の第２の実施形態を示すブロック図であり、玄関子機１に再呼出検出部が無く、呼出操作により計時を開始するタイマ部１６が備えられている点が上記図１の構成とは異なっている。その他の玄関子機１の構成、及び居室親機２の構成は図１と同様であるため、同一の符号を付与して説明を省略し、以下この二世帯用インターホン子機の動作を説明する。但し、上記実施形態と同様に第１呼出ボタン１０ａの操作を中心に説明する。
【００２３】
来訪者により玄関子機１の第１呼出ボタン１０ａが操作されると、呼出検出部１１が呼出操作を検出し、タイマ部１６と呼出信号出力部１３に呼出検出信号を出力する。すると呼出信号出力部１３は、子機Ｉ／Ｆ１５、伝送路Ｌ１を介して第１の居室親機２ａに呼出信号を送信する。同時にタイマ部１６は所定時間の計時をスタートする。
第１の居室親機２ａは、親機ＩＦ２５を介して呼出検出部２０が呼び出しを検出すると、親機制御部２４は親機音響部２３を制御してスピーカ２３ｂから呼出音を報音させると共に、表示部２１にて呼出表示を行なう。この呼び出しを受けて居住者により操作部２２が応答操作されると玄関子機１と第１の居室親機２ａとの間で通話が可能となる。尚、応答操作が行われたらタイマ部１６は計時を終了する。
【００２４】
ここで、第１の居室親機２ａで応答操作が行われず所定時間経過すると、タイマ部１６からタイムアップ信号が呼出信号出力部１３に出力される。すると、呼出信号出力部１３は、第１の居室親機２ａ及び第２の居室親機２ｂの双方に呼出信号を送信する。尚、タイムアップ信号を受けて呼出信号出力部１３が第２の居室親機２ｂに送信する呼出信号は、通常の呼出信号とは異なる代理呼出信号となる。
【００２５】
双方の居室親機２ａ，２ｂは、この呼出信号を呼出検出部２０で検出したら、親機制御部２４が親機音響部２３を制御してスピーカ２３ｂから呼出音を報音させると共に、表示部２１にて呼出表示を行なう。但し、第１呼出ボタン１０ａの操作により最初から呼出動作している第１の居室親機２ａは通常の呼出動作を継続し、代理呼出信号を受けた第２の居室親機２ｂは、親機制御部２４がそれを認識して表示部２１で代理呼出であることを表示させ、通常呼出とは異なる呼出音で報音させる。
【００２６】
この呼出動作を受けて、第１の居室親機２ａの操作部２２で応答操作すると第１の居室親機２ａと玄関子機１の間で通話を実施できる。そして、第２の居室親機２ｂの操作部２２で応答操作すると、第２の居室親機２ｂと玄関子機１との間で通話を実施できる。
【００２７】
このように、玄関子機から呼び出しが成されて所定時間が経過すると、再呼出が行われると共に他方の居室親機にも呼出がかかるので、他世帯側の居室から応答することが可能となる。よって、一方の世帯の居住者が他方の世帯の居室に移動していたり、呼出先の居住者が不在の場合でも、呼び出しに応答することができ、来訪者及び居住者の双方に対して利便性が良い。
また、居住者は表示部の表示及び呼出音から、居室親機の呼出動作が本来他方の世帯の居住者を呼び出していることを認識でき、応答する際にスムーズな応答が可能となり、来訪者を戸惑わせるようなことがない。
【００２８】
〈第３の実施形態〉
図３は本発明に係る二世帯用インターホン装置の第３の実施形態を示すブロック図である。上記図１との相違点を説明すると、玄関子機１と第１及び第２の居室親機２ａ，２ｂとが伝送線Ｌ１，Ｌ２で接続される以外に、第１の居室親機２ａと第２の居室親機２ｂとが伝送線Ｌ３で接続されている。また、居室親機２に再呼出検出部２６が設けられ、更に居室親機２には他方の居室親機２を呼び出すための他親機呼出部２７が設けられている。尚、その他の構成要素は図１と同様であるため、同一の符号を付与して説明を省略する。
【００２９】
この二世帯用インターホン装置は次のように動作する。但し、上記実施形態と同様に第１呼出ボタン１０ａの操作を中心に説明する。
来訪者により玄関子機１の第１呼出ボタン１０ａが操作されると、呼出信号出力部１３から呼出検出信号が出力される。呼出信号出力部１３は、子機ＩＦ１５、伝送路Ｌ１を介して第１の居室親機２ａに呼出信号を送信する。第１の居室親機２ａは、親機ＩＦ２５を介して呼出検出部２０が呼出信号を検出すると、親機制御部２４にそれを通知すると共に、再呼出検出部２６に通知する。この通知を受けて、親機制御部２４は親機音響部２３を制御してスピーカ２３ｂから呼出音を報音させると共に、表示部２１にて呼出表示を行なう。この呼出動作を受けて、居住者により操作部２２が応答操作されると玄関子機１と第１の居室親機２ａとの間で通話を行なう事ができる。尚、再呼出検出部２６は、最初の呼び出しであることを認識し、他親機呼出部２７に信号を出力することはない。
【００３０】
ここで、第１の居室親機２ａで応答操作が行われず、来訪者が再度第１呼出ボタン１０ａが操作されると、呼出信号出力部１３から呼出信号が第１の居室親機２ａに送信される。第１の居室親機２ａの呼出検出部２０がそれを検出すると、親機制御部２４及び再呼出検出部２６にそれを通知し、親機制御部２４は親機音響部２３を制御してスピーカ２３ｂにて呼出音を鳴動させるとともに、表示部２１にて呼出表示を行なう。
【００３１】
一方、再呼出検出部２６は再呼出であることを検出し、他親機呼出部２７から第１居室親機２ａの親機Ｉ／Ｆ２５、伝送路Ｌ３を介して第２の居室親機２ｂに呼出信号を送信する。第２の居室親機２ｂは、親機Ｉ／Ｆ２５を介して呼出検出部２０が呼出信号を検出したら、親機制御部２４にそれを通知する。この通知を受けて、親機制御部２４は親機音響部２３を制御してスピーカ２３ｂから呼出音を報音させると共に、表示部２１にて呼出表示を行なう。このときに何れかの操作部２２で応答操作すると、第１の居室親機２ａと玄関子機１の間で、或いは第２の居室親機２ｂと玄関子機の間で通話を行なう事ができる。
【００３２】
但し、他親機呼出部２７が出力する呼出信号は玄関子機１から送出される呼出信号とは異なる代理呼出信号となり、第１呼出ボタン１０ａの操作により最初から呼出動作している第１の居室親機２ａは通常の呼出動作を継続するが、代理呼出信号を受けた第２の居室親機２ｂの親機制御部２４はそれを認識し、表示部２１が代理呼出であることを表示し、呼出音も通常呼出とは異なる呼出音で報音する。
【００３３】
そして、第２の居室親機２ｂにより応答が成された場合、第２の居室親機２ｂの親機制御部２４から親機ＩＦ２５、伝送線Ｌ３を介して第１の居室親機２ａに代理応答通知信号が送信され、代理応答されていることが通知される。この信号を受けて、第１の居室親機２ａは、親機制御部２４の制御で表示部２１に、代理応答中であることが表示される。更に、代理応答終了後は、代理応答終了信号が続いて第１の居室親機２ａに送信され、第１の居室親機２ａの表示部には、代理応答が成されたことが時刻情報と共に表示される。
【００３４】
このように、玄関子機から再呼出操作が成されると、他方の居室親機にも呼び出しがかかるので、他世帯側の居室から応答することができる。よって、一方の世帯の居住者が他方の世帯の居室に移動していたり呼出先の居住者が不在の場合でも、呼び出しに応答することができ、来訪者及び居住者の双方に対して利便性が良い。
また、代理呼出信号に対して応答が成された場合は、来訪者が呼び出した方の居住者は、表示部の表示により他世帯の居住者が応答していることを認識できるので状況を把握し易いし、代理応答終了後であっても代理応答されたことが表示されるので、その表示により代理応答されたことを後から認識でき、応答内容を他世帯の応答者に伺う等の必要性を認識できる。
【００３５】
〈第４の実施形態〉
図４のブロック図は、本発明に係る二世帯用インターホン装置の第４の実施形態を示している。上記図２の構成との相違点を説明すると、玄関子機１と第１及び第２の居室親機２ａ，２ｂとが伝送線Ｌ１，Ｌ２で接続される以外に、第１の居室親機２ａと第２の居室親機２ｂとが伝送線Ｌ３で接続されている。また、居室親機２にタイマ部２８が設けられ、居室親機２には再呼出を実施するための再呼出部２９が設けられている。尚、その他の構成要素は図２と同様であるため、同一の符号を付与して説明を省略する。
【００３６】
この二世帯用インターホン装置は次のように動作する。但し、上記実施形態と同様に第１呼出ボタン１０ａの操作を中心に説明する。
来訪者により玄関子機１の第１呼出ボタン１０ａが操作されると、呼出信号出力部１３から呼出信号が出力される。呼出信号出力部１３は、子機Ｉ／Ｆ１５、伝送路Ｌ１を介して第１の居室親機２ａに呼出信号を送信する。第１の居室親機２ａは、親機ＩＦ２５を介して呼出検出部２０が呼出信号を検出すると、親機制御部２４とタイマ部２８にそれを通知する。この通知を受けて、親機制御部２４は親機音響部２３を制御してスピーカ２３ｂから呼出音を報音させるとと共に、表示部２１にて呼出表示を行なう。一方、タイマ部２８は所定時間の計時をスタートする。
この呼び出し動作を受けて、居住者により第１の居室親機２ａの操作部２２が応答操作されると、玄関子機１と第１の居室親機２ａとの間で通話を行なう事ができる。尚、この場合、タイマ部２８は計時を終了する。
【００３７】
ここで、第１の居室親機２ａで応答操作が行われず所定時間経過すると、タイマ部２８からタイムアップ信号が再呼出部２９に出力される。すると、再呼出部２９から呼出検出部２０に呼出信号を送信すると共に、親機Ｉ／Ｆ２５、伝送路Ｌ３を介して第２の居室親機２ｂに代理呼出信号が送信される。こうして、第１の居室親機２ａから再呼出がかかる。
一方、第２の居室親機２ｂは、呼出検出部２０にて代理呼出信号が検出されると、親機制御部２４の制御により第１の居室親機２ａと同様に呼出動作を行なう。但し、代理呼出信号を受けて成される呼出音は、通常の呼出音とは異なる呼出音で報音されるし、表示部２１には、代理呼出であることが表示される。
こうして、何れかの居室親機２で応答操作されると、玄関子機１と通話路が形成され、応答することができる。
【００３８】
尚、第２の居室親機２ｂにより応答が成された場合、第２の居室親機２ｂの親機制御部２４から、親機ＩＦ２５、伝送線Ｌ３を介して第１の居室親機２ａに代理応答通知信号が送信され、代理応答されていることが通知される。この信号を受けて、第１の居室親機２ａは、親機制御部２４の制御で表示部２１に、代理応答中であることが表示される。
更に、代理応答終了後は、代理応答終了信号が続いて第１の居室親機２ａに送信され、第１の居室親機２ａの表示部には、代理応答が成されたことが時刻情報と共に表示される。
【００３９】
このように、玄関子機から呼び出しが成されて所定時間が経過すると、他方の居室親機にも呼出がかかるので、他世帯側の居室から応答することができる。よって、一方の世帯の居住者が他方の世帯の居室に移動していたり、呼出先の居住者が不在の場合でも、呼び出しに応答することができ、来訪者及び居住者の双方に対して利便性が良い。
また、代理呼出信号に対して応答が成された場合は、来訪者が呼び出した方の居住者は、表示部の表示により他世帯の居住者が応答していることを認識できるので状況を把握し易いし、代理応答終了後であっても代理応答されたことが表示されるので、その表示により代理応答されたことを後から認識でき、応答内容を他世帯の応答者に伺う等の必要性を認識できる。
【００４０】
尚、上記第３、第４の実施形態では、第１の居室親機２ａと第２の居室親機２ｂとが直接伝送線Ｌ３で接続されているため、他世帯で応答した場合を自世帯の居室親機で報知する構成をスムーズに実現しているが、第１、第２の実施形態の構成の場合も他世帯で報知動作するよう構成することは可能である。この場合、玄関子機１を経由させて居室親機同士の通信を行うことで実施できる。
また、上記第２、第４の実施形態では、タイムアップとなった時に双方の居室親機２ａ，２ｂを呼出動作させているが、他世帯親機のみ呼出動作させても良い。
【図面の簡単な説明】
【００４１】
【図１】本発明に係る二世帯用インターホン装置の第１の実施形態を示すブロック図である。
【図２】第２の実施形態を示す二世帯用インターホン装置のブロック図である。
【図３】第３の実施形態を示す二世帯用インターホン装置のブロック図である。
【図４】第４の実施形態を示す二世帯用インターホン装置のブロック図である。
【符号の説明】
【００４２】
１・・玄関子機、２・・居室親機、２ａ・・第１の居室親機、２ｂ・・第２の居室親機、１０ａ・・第１呼出ボタン、１０ｂ・・第２呼出ボタン、１２・・再呼出検出部、１６・・タイマ部、２１・・表示部（代理呼出報知部、代理応答報知部）、２２・・操作部、２４・・親機制御部、２６・・再呼出検出部、２７・・他親機呼出部、２８・・タイマ部、２９・・再呼出部。
【図１】
0004971057.tif 000002
【図２】
0004971057.tif 000003
【図３】
0004971057.tif 000004
【図４】
0004971057.tif 000005